(57)【要約】    【課題】  不要な音の発生を抑制しつつ、後付部品を簡単に着脱することが可能となる後付部品の着脱構造を提供する。    【解決手段】  各譜面立てスタンド３は、それぞれ、電子楽器１の筐体に設けられた複数の通気口のうち、所定の２つの通気口に、２つの突起部３１を挿入することで、電子楽器１に固定され、譜面立て２は、各譜面立てスタンド３にそれぞれ設けられた１つの穴に、２つの突起部２１のそれぞれを挿入することで、譜面立てスタンド３上に固定される。【選択図】    図３
2006308609.tif 000002
【特許請求の範囲】
【請求項１】
楽器本体に着脱自在に後付けする後付部品の着脱構造であって、
前記楽器本体側に、
第１の開口部を形成した表面部と、
前記第１の開口部の内周縁近部に位置し、当該第１の開口部より小さい形状の第２の開口部を備えた、弾性体からなる保持部材と、
前記第１および第２の開口部に続く第３の開口部を備えた支持部材と
を有するとともに、
前記後付部品側に、
その断面が前記第１の開口部より小さく、前記第２の開口部と略同一あるいは微少に大きい形状の突起部と、
該突起部の、前記第１〜第３の開口部を介した前記表面部、保持部材および支持部材への挿入状態を規制する規制部と
を有し、
前記突起部は、前記第１〜第３の開口部を通った上で、前記支持部材によって支持されることを特徴とする後付部品の着脱構造。
【請求項２】
前記楽器本体には、所定の目的のために複数個の穴が設けられており、前記第１の開口部は、該複数個の穴のうちの一部を用いることを特徴とする請求項１に記載の後付部品の着脱構造。
【発明の詳細な説明】
【技術分野】
【０００１】
本発明は、楽器本体に後付部品を着脱自在に取り付け可能な構造に関する。
【背景技術】
【０００２】
楽器本体に後付部品を着脱自在に取り付け可能な構造として、たとえば、ネジ穴のあるステーを後付部品に設け、このネジ穴にネジを差し込んで、楽器の筐体にステーを螺着するようにしたものがある。
【０００３】
また、楽器の筐体に溝を設け、この溝に、後付部品の一部をはめ込んで固定するようにしたものも知られている（たとえば、特許文献１参照）。
【特許文献１】特開２００１−２４２８６８号公報
【発明の開示】
【発明が解決しようとする課題】
【０００４】
しかし、上記従来の後付部品の着脱構造のうち、前者では、後付部品を着脱するときに、ネジを締めたり緩めたりしなければならないので、後付部品を簡単に着脱することができなかった。
【０００５】
また、後者では、演奏者の演奏に起因する楽器本体の揺れや、楽音の発生に起因する楽器本体の振動が後付部品に作用することで、ビビリ音が発生することがあった。
【０００６】
本発明は、この点に着目してなされたものであり、不要な音の発生を抑制しつつ、後付部品を簡単に着脱することが可能となる後付部品の着脱構造を提供することを目的とする。
【課題を解決するための手段】
【０００７】
上記目的を達成するため、請求項１に記載の後付部品の着脱構造は、楽器本体に着脱自在に後付けする後付部品の着脱構造であって、前記楽器本体側に、第１の開口部を形成した表面部と、前記第１の開口部の内周縁近部に位置し、当該第１の開口部より小さい形状の第２の開口部を備えた、弾性体からなる保持部材と、前記第１および第２の開口部に続く第３の開口部を備えた支持部材とを有するとともに、前記後付部品側に、その断面が前記第１の開口部より小さく、前記第２の開口部と略同一あるいは微少に大きい形状の突起部と、該突起部の、前記第１〜第３の開口部を介した前記表面部、保持部材および支持部材への挿入状態を規制する規制部とを有し、前記突起部は、前記第１〜第３の開口部を通った上で、前記支持部材によって支持されることを特徴とする。
【０００８】
好ましくは、前記楽器本体には、所定の目的のために複数個の穴が設けられており、前記第１の開口部は、該複数個の穴のうちの一部を用いることを特徴とする。
【０００９】
ここで、複数個の穴とは、たとえば、楽器の内部と外部とを相通する穴であり、楽器内部に配置された電装品が発生する熱を外部に逃がすものである。また、複数個の穴は、たとえば、連続して形成されている。
【発明の効果】
【００１０】
請求項１に記載の発明によれば、後付部品側に設けられた突起部が、楽器本体側に設けられた第１〜第３の開口部を通った上で、楽器本体側に設けられた支持部材によって支持されるので、後付部品を簡単に着脱することが可能となる。さらに、第２の開口部を備えた保持部材は弾性体からなり、後付部品は楽器本体に、がたつくことなくしっかり保持されるので、不要な音の発生を抑制することができる。
【発明を実施するための最良の形態】
【００１１】
以下、本発明の実施の形態を図面に基づいて詳細に説明する。
【００１２】
図１は、本発明の一実施の形態に係る後付部品の着脱構造を適用した電子楽器１を前方から見下ろしたときの外観を示す斜視図であり、図２は、図１の電子楽器１を後方から見上げたときの外観を示す斜視図である。
【００１３】
図１および図２に示すように、譜面立て２が、後付部品として、２つの譜面立てスタンド３を介して電子楽器１に取り付けられるように構成されている。
【００１４】
図３は、譜面立て２および譜面立てスタンド３を電子楽器１に対して着脱する様子を示す図である。
【００１５】
同図に示すように、各譜面立てスタンド３は、それぞれ、電子楽器１の筐体に設けられた複数の通気口のうち、所定の２つの通気口に、２つの突起部３１を挿入することで、電子楽器１に固定され、譜面立て２は、各譜面立てスタンド３にそれぞれ設けられた１つの穴３２（図７参照）に、２つの突起部２１のそれぞれを挿入することで、譜面立てスタンド３上に固定される。
【００１６】
このようにして、譜面立てスタンド３を介して、電子楽器１に取り付けられた譜面立て２を、電子楽器１から取り外すときには、まず、譜面立て２の突起部２１を譜面立てスタンド３から抜いて、譜面立て２を譜面立てスタンド３から取り外し、次に、２つの譜面立てスタンド３のうちの一方の２つの突起部３１を電子楽器１から抜いて、その譜面立てスタンド３を電子楽器１から取り外し、最後に、同様にして、もう一方の譜面立てスタンド３を電子楽器１から取り外す。
【００１７】
図４は、１つの譜面立てスタンド３を固定するための電子楽器１側の構造を拡大して透視した拡大透視図である。
【００１８】
同図に示すように、１つの譜面立てスタンド３を固定するための電子楽器１側の構造は、電子楽器１の筐体に設けられた、所定の２つの穴１１と、譜面立てスタンド３の前記突起部を挿入して支持する支持部材４と、電子楽器１の筐体と支持部材４との間に配置され、譜面立てスタンド３の突起部が支持部材４によって支持されているときに、電子楽器１上に発生した振動などで譜面立てスタンド３がぐらつかないように保持する保持部材５とからなる。
【００１９】
図５は、支持部材４の斜視図である。
【００２０】
支持部材４は、たとえば樹脂成型によって形成され、同図に示すように、支持部材４には、前記各突起部３１がそれぞれ挿入されるボス部４１ａおよび４１ｂと、電子楽器１の上側の筐体に支持部材４を螺着させるための４つのネジ穴４２ａと、電子楽器１の下側の筐体に支持部材４を螺着させるための１つのネジ穴４３ａとが設けられている。
【００２１】
支持部材４は、複数の壁面を連続させた壁面構造をなし、ボス部４１ａおよび４１ｂは、壁面をボス状に形成したものである。そして、ボス部４１ａおよび４１ｂの周囲には、補強用のリブが壁面により形成されている。また、ネジ穴４２ａは、壁面４２上に形成され、ネジ穴４３ａは、壁面４３上に形成されている。
【００２２】
ボス部４１ａおよび４１ｂのそれぞれの開口部４１ａ１および４１ｂ１は、それぞれ、略楕円形状となっている。これに対して、開口部４１ａ１および４１ｂ１に挿入される突起部３１は、図７に示すように、円筒形状となっており、開口部４１ａ１および４１ｂ１の短径が突起部３１の半径と略同一となっている。したがって、開口部４１ａ１および４１ｂ１に突起部３１が挿入された場合、突起部３１は、開口部４１ａ１および４１ｂ１の長径方向に余裕がある。ただし、ボス部４１ｂの長径方向の両側には、突起部３１が長径方向にぐらつかないように規制する凸部４１ｂ２が設けられている。このように、開口部４１ａ１および４１ｂ１のうちの一方にのみ、突起部３１が挿入されたときに余裕が生じるようにしたのは、譜面立てスタンド３を電子楽器１に取り付ける際や、譜面立てスタンド３を電子楽器１から取り外す際に、譜面立てスタンド３を左右に動かしながら差し込んだり、引き抜いたりすることができるようにするためである。なお、本実施の形態では、凸部４１ｂ２をボス部４１ｂ側に設けるようにしたが、これに代えて、ボス部４１ａ側にのみ設けてもよい。つまり、凸部を設ける開口部は、ボス部４１ａまたは４１ｂのいずれか一方であればよい。
【００２３】
図６は、保持部材５の斜視図であり、（ａ）は、突起部３１を挿入する側から見た図であり、（ｂ）は、（ａ）と反対側から見た図である。
【００２４】
保持部材５は、ゴム等の弾性部材からなり、同図（ａ）に示すように、保持部材５には、各突起部３１が挿入される穴５ａおよび５ｂが形成され、各穴５ａおよび５ｂには、各突起部３１を挿入し易いように、テーパー加工が施されている。各穴５ａおよび５ｂは、それぞれ略円形状をなし、その各半径は、各突起部３１をがたつくことなくしっかり保持するために、突起部３１の半径よりやや短く採られている。保持部材５の、突起部３１が挿入される側には、保持部材５の肉厚を薄くするための溝５ｃが形成されている。保持部材５は、この溝５ｃによって折り曲げ易くなっており、保持部材５を支持部材４に取り付ける場合、まず、一方の穴５ａ（または５ｂ）が形成された部位を支持部材４の対応する位置に取り付け、その後、他方の穴５ｂ（または５ａ）が形成された部位を支持部材４の対応する位置に取り付けることができ、これにより、保持部材５の支持部材４への取り付けが容易になる。
【００２５】
保持部材５は、支持部材４のボス部４１ａおよび４１ｂを覆うようにして取り付ける。したがって、保持部材５には、ボス部４１ａおよび４１ｂをそれぞれ覆う被覆部５ｄおよび５ｅが設けられている。そして、前述したように、ボス部４１ａおよび４１ｂの周囲には、それぞれリブが形成されているので、被覆部５ｄおよび５ｅには、そのリブが嵌合する溝５ｄ１および５ｅ１が形成されている。
【００２６】
このように構成された支持部材４および保持部材５を電子楽器１の本体に取り付ける場合、まず、保持部材５の被覆部５ｄまたは５ｅのいずれか一方、たとえば被覆部５ｄを、被覆部５ｄに形成された溝５ｄ１を利用して位置決めしながら、支持部材４のボス部４１ａに嵌め込み、次に、同様にして、被覆部５ｅをボス部４１ｂに嵌めこむ。そして、保持部材５の嵌め込まれた支持部材４の前記４つのネジ穴４２ａのうち、所定の２つのネジ穴にネジ（図示せず）を通して、電子楽器１の上側筐体の内側に設けられたボス部１２に螺着させ、さらに、前記ネジ穴４３ａにネジ（図示せず）を通して、電子楽器１の下側筐体の内側に設けられたボス部１３に螺着させる。これにより、電子楽器１の筐体上の２つの通気口１１のそれぞれと、保持部材５の２つの穴５ａおよび５ｂのそれぞれと、支持部材４の２つの開口部４１ａ１および４１ｂ１のそれぞれとが一直線上につながるので、その一直線上につながった２つの穴に、譜面立てスタンド３の２つの突起部３１のそれぞれを挿入できるようになる。
【００２７】
同様にして、もう１つの譜面立てスタンド３を取り付ける、電子楽器１の本体側の位置に、もう１組の支持部材４および保持部材５を取り付ける。
【００２８】
譜面立てスタンド３の２つの突起部３１は、たとえば金属によって構成され、前記図７に示すように、その先端は、挿入し易いように、テーパー形状となっている。この２つの突起部３１を、電子楽器１側の２つの通気口１１に挿入する際には、保持部材５の穴５ａおよび５ｂの形状が突起部３１の形状よりやや小さいので、突起部３１は、なかなか奥に入っていかない。このため、譜面立てスタンド３を左右に動かしながら、突起部３１を挿入して行き、譜面立てスタンド３の、突起部３１が突出している面３３が、電子楽器１の筐体と当接した時点で、譜面立てスタンド３の電子楽器１の筐体への取り付けは完了する。
【００２９】
同様にして、もう１つの譜面立てスタンド３を電子楽器１の筐体に取り付ける。
【００３０】
このようにして、２つの譜面立てスタンド３が電子楽器１の筐体に取り付けられると、各譜面立てスタンド３の各穴３２に、譜面立て２の各突起部２１を嵌め込んで、譜面立て２の電子楽器１への取り付けは完了する。
【００３１】
電子楽器１に取り付けられた譜面立て２の取り外しは、上記取り付けと逆に行えばよいので、その説明は省略する。
【００３２】
なお、本実施の形態では、後付部品として、譜面立て２（および譜面立てスタンド３）を例に挙げて説明したが、これは説明の都合上に過ぎず、たとえば、図８に示すスピーカスタンド６を譜面立てスタンド３の代わりに電子楽器１の筐体に取り付け、スピーカスタンド６上にスピーカ（図示せず）を取り付けることにより、スピーカを後付けするようにしてもよい。この場合、スピーカスタンド６を取り付けるための電子楽器１側の構造は、譜面立てスタンド３を取り付けるための電子楽器１側の構造と同様である。
【００３３】
このように、本実施の形態では、後付部品側に設けられた突起部が、電子楽器１の筐体上に設けられた通気口１１、保持部材５の穴５ａ，５ｂおよび支持部材４のボス部４１ａ，４１ｂを通った上で、楽器本体側に設けられた支持部材によって支持されるので、後付部品を簡単に着脱することが可能となる。さらに、保持部材５は弾性体からなり、後付部品は楽器本体に、がたつくことなくしっかり保持されるので、不要な音の発生を抑制することができる。
【００３４】
なお、本実施の形態では、後付部品の突起部が挿入される、電子楽器の筐体上の穴として、通気口の一部を用いたが、これは、後付部品を取り外したときに、後付部品用の穴が他の穴と同化して、後付部品用の穴であることが一見しただけでは分からないようにするためである。したがって、大きさが同じ程度の複数の穴が、通気口以外に、電子楽器の筐体上に開いていた場合には、それを用いるようにすればよい。また、複数の穴のそれぞれの大きさは、同じ程度が好ましいものの、多少大きさが異なってもよいし、後付部品用の穴であることが分かるようなマーク（たとえば、“△”）をその穴の近傍に付けるようにしてもよい。
【００３５】
また、本実施の形態では、２つの突起部３１を設けた譜面立てスタンド３を２つ電子楽器１の筐体に取り付け、この２つの譜面立てスタンド３上に、譜面立て２を設置するようにしたが、突起部３１の個数も、譜面立てスタンド３の個数も、２つに限られる訳ではない。さらに、本実施の形態では、２つの突起部３１を横に並べて、電子楽器１の筐体に挿入するようにしたが、縦に並べてもよいし、角度を付けて配置するようにしてもよい。
【００３６】
また、本実施の形態では、譜面立てスタンド３を電子楽器の筐体に挿入する場合、譜面立てスタンド３の、突起部３１が突出している面３３が、電子楽器１の筐体と当接することで、譜面立てスタンド３の挿入状態を規制するようにしているが、これに限らず、たとえば、ボス部４１ａおよび４１ｂの底を閉口にし、底に突起部３１が当接することで、譜面立てスタンド３の挿入状態を規制するようにしてもよい。
【００３７】
なお、本実施の形態では、後付部品を着脱自在に取り付ける対象として、電子（鍵盤）楽器を例に挙げて説明したが、これは説明の都合上に過ぎず、他の種類の電子楽器に対しても、また、電子楽器でないアコースティック楽器に対しても、本発明を適用することができる。
【図面の簡単な説明】
【００３８】
【図１】本発明の一実施の形態に係る後付部品の着脱構造を適用した電子楽器を前方から見下ろしたときの外観を示す斜視図である。
【図２】図１の電子楽器を後方から見上げたときの外観を示す斜視図である。
【図３】譜面立ておよび譜面立てスタンドを電子楽器に対して着脱する様子を示す図である。
【図４】１つの譜面立てスタンドを固定するための電子楽器側の構造を拡大して透視した拡大透視図である。
【図５】図４中の支持部材の斜視図である。
【図６】図４中の保持部材の斜視図である。
【図７】図１中の譜面立てスタンドの斜視図である。
【図８】スピーカスタンドの斜視図である。
【符号の説明】
【００３９】
１…電子楽器，２…譜面立て，３…譜面立てスタンド，３１…突起部，４…支持部材，４１ａ，４１ｂ…ボス部，５…保持部材
【図１】
2006308609.tif 000003
【図２】
2006308609.tif 000004
【図３】
2006308609.tif 000005
【図４】
2006308609.tif 000006
【図５】
2006308609.tif 000007
【図６】
2006308609.tif 000008
【図７】
2006308609.tif 000009
【図８】
2006308609.tif 000010